(57)【要約】  本発明は手持ち型台所用品に関し、フレームを具え、このフレームには切断刃とスペーサプレートがともに回動可能に取り付けられている。前記切断刃とスペーサプレートは少なくとも皮むき位置と、１以上のスライス位置との間で回動変位可能である。【選択図】図１Ａ
2014531926.tif 000002
【特許請求の範囲】
【請求項１】
手持ち型台所用品であって、切断刃とスペーサプレートがともに回動可能に取り付けられたフレームを具え、前記切断刃とスペーサプレートは少なくとも皮むき位置と、１以上のスライス位置との間で回動変位可能であることを特徴とする台所用品。
【請求項２】
請求項１の手持ち型台所用品において、前記切断刃とスペーサプレートは、平行に延びる２つの軸沿いに取り付けられることを特徴とする台所用品。
【請求項３】
請求項１の手持ち型台所用品において、前記皮むき位置では、前記切断刃の切刃が前記スペーサプレートの底面の下に延びるように、前記切断刃がスペーサプレートに対して傾けられていることを特徴とする台所用品。
【請求項４】
請求項１の手持ち型台所用品において、前記１以上のスライス位置のうちの少なくとも１つにおいて、前記切断刃の切刃は前記スペーサプレートの頂面の上に延び、一方で前記切断刃は前記スペーサプレートにほぼ平行となることを特徴とする台所用品。
【請求項５】
請求項１の手持ち型台所用品において、前記１以上のスライス位置のうちの少なくとも１つにおいて、前記切断刃の切刃は前記スペーサプレートの底面の下に延び、一方で前記切断刃はスペーサプレートにほぼ平行となることを特徴とする台所用品。
【請求項６】
請求項１の手持ち型台所用品において、前記フレームは、グリップハンドルの前端部に構成されることを特徴とする台所用品。
【請求項７】
請求項６の手持ち型台所用品において、前記グリップハンドルは人間工学的に設計されていることを特徴とする台所用品。
【請求項８】
請求項７の手持ち型台所用品において、前記グリップハンドルの後端部にはジューススクイーザが構成されていることを特徴とする台所用品。
【請求項９】
請求項７の手持ち型台所用品において、前記グリップハンドルは、その少なくとも１の面に、食品を前記切断刃の方へ案内するための滑り面を有することを特徴とする台所用品。
【請求項１０】
請求項１の手持ち型台所用品において、当該台所用品が係合部を有し、これにより前記切断刃とスペーサプレートを容器上あるいは容器内に延在させた状態で、前記台所用品を前記容器に係合させることができることを特徴とする台所用品。
【請求項１１】
請求項１の手持ち型台所用品において、前記切断刃と前記スペーサプレートの距離は調整可能であり、これによりスライス幅を管理できることを特徴とする台所用品。
【請求項１２】
請求項１の手持ち型台所用品において、前記台所用品は、当該台所用品を異なる配向で持つことにより２つの異なるスライスモードで利用できるように構成されることを特徴とする台所用品。
【請求項１３】
請求項１の手持ち型台所用品において、前記切断刃は、前記スペーサプレートに面する第１の切刃と、第２の切刃とを具えて構成され、これは前記第２の切刃が前記スペーサプレートに面するようにして前記第１の切刃を鈍らせることにより逆にすることができることを特徴とする台所用品。
【請求項１４】
請求項１の手持ち型台所用品において、前記フレームあるいはスペーサプレートにシュレッド刃を搭載可能であり、当該シュレッド刃は、スライス位置における前記切断刃にほぼ垂直に延在する１またはそれ以上の刃を具えることを特徴とする台所用品。
【請求項１５】
請求項１の手持ち型台所用品において、前記切断刃の一方の面は複数の上側延在刃を設けて構成され、他方の面は食品の縦方向のスライス用に構成され、食品の細かい千切りが可能となることを特徴とする台所用品。
【請求項１６】
請求項１の手持ち型台所用品において、前記切断刃と前記スペーサプレートは限られた範囲で回動自在であり、食品の表面に接触すると自動整列することを特徴とする台所用品。
【請求項１７】
請求項１の手持ち型台所用品において、前記切断刃と前記スペーサの回動変位は、前記フレームに設けられた制限部材と対応するストッパとの協働により制限されることを特徴とする台所用品。
【請求項１８】
請求項１の手持ち型台所用品において、前記切断刃と前記スペーサプレートは相互に回動変位可能であり、これにより前記皮むき位置において前記スペーサプレートに対する切断刃の角度位置は実質的に予め定まっていて一定であり、この角度は食品上で滑る前記スペーサプレートにより規定されることを特徴とする台所用品。
【請求項１９】
請求項１の手持ち型台所用品において、前記切断刃と前記スペーサプレートは、前記スライス位置において前記スペーサプレートの面が前記切断刃の面と平行になるように、回動式に自動整列することを特徴とする台所用品。
【発明の詳細な説明】
【技術分野】
【０００１】
開示される主題は手持ち型台所用品に関し、より具体的には、食品の少なくとも皮剥きとスライスを行う台所用品に関する。
【背景技術】
【０００２】
本開示の背景に関連する文献を、以下に提示し簡単に説明する：
ＵＳ３９５６８２５は、野菜ピーラーに関し、一形態では野菜に押しつけると押された刃で皮を除去し、別の携帯では比較的長い刃がフレーム内で回転可能であり、各ストロークで野菜を多様な厚さに切り取れるようになっている。
【０００３】
ＵＳ２００６０３７２０１は、ピーリング刃とともにクロス部材により互いに連結された２つのグリップ面を有する野菜ピーラーに関する。この公開公報によると、２つの横向きのグリップ面と相互連結するクロス部材がホルダを形成し、このＵ字型ホルダの脚部（Ｌ）の寸法は、グリップ面の間の寸法（Ｂ）よりピーリング方向（Ａ）に短くなっている。この方法では、レバーアームなしでピーリング刃を真っ直ぐに案内することができる。使用時にピーリング刃は指の間で一直線となり、このため非常に正確で、便利で、安全となる。
【０００４】
ＷＯ０８０８７４６２は、手動式の野菜ピーラーに関し、剥いた皮を上および横向きに案内して、持ち上げを簡単にするとともに皮を剥いた物品への再付着を防止するようにしている。このため、刃の後ろの排出部が２方向に曲がってこびりつかない層でコートされ、この排出部は刃の一部として構成されるか刃に接着される。好適な作業角度に適合させるために、刃ユニットは、スライドリングの開区画へ装着して旋回させることができる。
【０００５】
上記文献の認識は、ここに開示する主題の特許性に何らかの関連があると解釈されるべきものではない。
【発明の概要】
【０００６】
本発明によると、少なくとも食品の皮むきとスライス用の多用途式手持ち型台所用品が提供される。
【０００７】
食品の語句は、とりわけ野菜、果物、チーズ、ナッツ、食肉、鶏肉等をいう。
【０００８】
本発明によると、手持ち型台所用品であって、切断刃とスペーサプレートを有して構成されるフレームを具え、これらは双方とも平行に延在する軸の周りに回動可能にフレームに搭載され、前記切断刃とスペーサプレートは少なくとも皮むき位置と１以上のスライス位置との間で回動式に変位可能である。
【０００９】
皮むき位置における構成では、切断刃の切刃（cutting edge）がスペーサプレートの底面の下に延びるように、切断刃がスペーサプレートに対して傾けられている。皮むき位置では、スペーサプレートは皮を剥いた食品の外側面に追随するよう構成される。
【００１０】
さらに、第１のスライス位置において、切断刃の切刃はスペーサプレートの頂面の上に延び、一方で切断刃はスペーサプレートにほぼ平行となる。この位置ではスペーサプレートの頂面は、食品に対してその周りを変位するようにスライドする。
【００１１】
第２のスライス位置において、切断刃の切刃はスペーサプレートの底面の下に延び、一方で切断刃はスペーサプレートにほぼ平行となる。この位置では、スペーサプレートの底面は、食品に対してその周りを変位するようにスライドする。
【００１２】
以下の明細書および特許請求の範囲において、用語「切断刃」は皮むき、カット、シュレッド（千切り片、スライバ片などを作るため）などのために交換可能な長い刃をいうのに用いられる。
【００１３】
この台所用品は、主に２つの位置、すなわち皮むき位置とスライス位置で操作可能である。
【００１４】
本発明の台所用品は、以下のいずれか１以上の特徴または設計を組み合わせあるいは個別に用いて構成することができる：
フレームは、グリップハンドルの前端部に構成される；
前記グリップハンドルは個人が快適かつ安全にグリップできるように人間工学的に形成されている；
前記グリップハンドルの後端部にはジューススクイーザが構成されている；
前記グリップハンドルは、ボトルオープナー、ガーリック潰し器、芯抜き器、ピッター（ｐｉｔｔｅｒ）、刃物研ぎなどの追加の台所補助機能として構成される；
前記グリップハンドルは、その少なくとも１の面に、食品を切断刃の方へ案内するための滑り面を有する；
前記台所用品は、容器（例えばボウル等）との係合部を有し、これにより切断刃とスペーサプレートを容器上あるいは容器内に延在させた状態で、台所用品を容器に係合させることができる；
前記係合部は、前記容器のリム上に搭載するための溝として構成することができる；
容器への係合部における搭載用溝はさらに、刃物研ぎ器が構成されてもよい；
スライスモードにおいて、切断刃の壁面はスペーサプレートの壁面とほぼ平行に延在する；
切断刃とスペーサプレートの距離は調整可能であり、これによりスライス幅を管理できる；
前記台所用品は、当該台所用品を異なる角度で持つことにより２つの異なるスライスモードで利用できるように構成される；
前記切断刃は、スペーサプレートに面する第１の切刃と、第２の切刃とを具えて構成され、これは第２の切刃がスペーサプレートに面するようにして第１の切刃を鈍らせることにより逆にすることができる；
切断刃の切刃の一方または双方を、例えば波形や鋸刃状にパターン加工することができる；
この器具は食品を細片にするシュレッダとして利用可能であり、シュレッド刃をフレームあるいはスペーサプレートに搭載可能で、前記シュレッド刃は、スライス位置における前記切断刃にほぼ垂直に延在する１またはそれ以上の刃を具える；
前記シュレッド刃は、例えば少なくとも部分的に前記切断刃を包むことにより、前記フレームに脱着可能に取り付けられる；
前記切断刃とスペーサプレートの相互回動的な転位は制限され、これらの間に角度固定的な位置関係が確立される；
前記切断刃とスペーサプレートは前記フレームに回動可能に取り付けられ、前記台所用品が食品に沿って動かされたときにその凹み（ｃｏｕｎｔｅｒ）に沿って動く；
前記切断刃の一方の面は複数の上側延在刃を設けて構成され、他方の面は食品の長いスライスや千切り用に構成される；
前記切断刃は弓形であるか、あるいは（例えばＶ字状に）形作られ、前記スペーサプレートは当該切断刃の形状に沿うが、間に一定の距離を維持している；
前記切断刃とスペーサプレートは限られた範囲で回動可能に緩く、食品の表面に載せると自動整列する；
切断刃とスペーサの回動変位は、前記フレームに設けられた対応するストッパと協働する制限部材により制限される；
前記切断刃とスペーサプレートは互いに回動変位可能であり、これにより皮むき位置においてスペーサプレートに対する切断刃の角度位置はほぼ一定に予め定まっており、当該角度は食品上で滑るスペーサプレートにより規定される；
前記切断刃とスペーサプレートは、スライス位置において前記スペーサプレートの面が前記切断刃の面と平行になるように、回動式に自動整列する。
【００１５】
前記台所用品は、当該台所用品をある面に対し所定角度に支持するのに適合する支持部材が設けられる。このような支持部材は、台所用品の上で折り畳んでその面に同一面状となる１以上の折り畳み式の脚部を含む。
【００１６】
前記台所用品は、ハンドル部と、前記フレームに固定された動作部との２つの部品を有して構成されてもよい。この実施例によると、前記ハンドル部は、前記動作部の本体内に収容可能な刃に固定されてもよい。組立位置では、これら２つの部品は結合して、刃は動作部内に収容される。分解位置では、刃に固定されたハンドル部はナイフとして機能する。
【００１７】
この台所用品は、安全に食洗機にかけることができる。
【図面の簡単な説明】
【００１８】
本発明を理解し、どのように具現化するのかを見るために、添付の図面を参照しながら、非限定的な例として、実施例について説明する。
【図１】図１Ａは、本発明の第１実施例にかかる台所用品の等尺図である。図１Ｂは、図１Ａの台所用品の前部、底部の等尺図である。図１Ｃは、図１Ａの台所用品の後部、底部の等尺図である。図１Ｄは、図１Ａの台所用品の前部、上部の等尺図である。
【図２】図２Ａは、皮剥き位置における図１Ａの台所用品の頭部拡大図である。図２Ｂは、第１のスライス位置における図１Ａの台所用品の頭部拡大図である。図２Ｃは、第２のスライス位置における図１Ａの台所用品の頭部拡大図である。
【図３】図３Ａ、３Ｂ、３Ｃは、図１、２の台所用品の皮剥き位置、第１のスライス位置、および第２のスライス位置の概要図である。
【図４】図４Ａ、４Ｂは、皮剥き位置における台所用品の上面および側面図である。
【図５】図５Ａ、５Ｂは、それぞれ第１のスライス位置における台所用品の底部斜視図と上部斜視図である。
【図６】図６Ａ、６Ｂは、それぞれ第２のスライス位置における台所用品の上部左側斜視図と上部右側斜視図である。
【図７】図７Ａは、ボウルの縁の上に搭載した台所用品を示す図である。図７Ｂは、スライス位置にある図７Ａの位置の台所用品の図である。
【図８】図８Ａ、８Ｂ、および８Ｃはそれぞれ、本発明の第２実施例にかかる台所用品の上部後側、上部前側、および底部前側の斜視図である。
【図９】図９は、第１実施例の台所用品の変形例の図である。
【図１０】図１０は、第１実施例の台所用品のさらなる変形例の図である。
【図１１】図１１は、第１実施例の台所用品の別の変形例の図である。
【図１２】図１２Ａ、１２Ｂは、第１実施例の台所用品の変形例の図である。
【図１３】図１３は、第１実施例の台所用品の変形例の分解した状態の図である。
【発明を実施するための形態】
【００１９】
最初に図１および図２を参照すると、本発明の台所用品が全体として符号２０で示されている。この台所用品は所謂ピーラー／スライサーの台所用品であり、ハンドル２４の前端部に延びるフレーム部２２を具え、当該ハンドル２４は個人が快適かつしっかりとグリップできるように人間工学的に設計され形成されている。
【００２０】
図１Ｂと図７Ａに最もよく示すように、ハンドル部２４は、溝形状の容器係合部２７を具え、例えばボウル４０といった容器に台所用品が係合できるように構成され、図７Ａ、７Ｂを参照して後述するようにスライス動作時にフレーム部２２が容器の上あるいは中に延在するようになっている。
【００２１】
この台所用品２０は、前端部３０と、後端部３２と、上面３４と、底面３６とを有して構成される。
【００２２】
図示するように、フレーム部２２は２つの突出する側部バー２６を具え、これらは互いにほぼ平行に延在して、切断刃４２を台所用品２０の前端部近傍に回動可能に支持し、スペーサプレート４４を切断刃の後ろに延在するように支持する。切断刃４２は鋭利な切刃５０を設けて構成される一方、スペーサプレート４４は底面５４および頂面５６に沿って鈍い縁部を有し、当該底部と頂部は互いにほぼ平行で平滑である。
【００２３】
図２Ａから２Ｃに最もよく示すように、切断刃４２とスペーサプレート４４は、平行に延びる長軸（それぞれ図１Ａ、２Ｂに示すＸ１、Ｘ２）の周りを回動可能にサイドバー２６に装着され、双方がハンドル部２４の長軸Ｘ１にほぼ垂直であり、後に詳述するように、前記切断刃４２とスペーサプレート４４は少なくとも皮剥き位置（図２Ｃ、３Ａ、４Ａ、および４Ｂ）と、少なくとも１の、特定の実施例では２のスライド位置（図２Ｂ、３Ｂ、３Ｃ、５Ａ、５Ｂ、６Ｂ、７Ｂ，および１０）の間で回動変位する。
【００２４】
図３Ａ、４Ａ、および４Ｂに示すように、皮剥き位置では、切断刃４２はスペーサプレート４４に対して斜めに延在し、切断刃４２の切刃５０がスペーサプレート４４の底面５４の下に延在するようにしている。これにより、図３Ａに示すように、皮剥き位置ではスペーサプレート４４の底面５４は、皮剥きの対象となる食品５５の外面上に追随すなわちスライドするよう構成される。切刃５０は傾斜位置に延在するが、前記底面５４の下では、食品５５に対し制限された深さのみ食い込むように構成され、食品のスムースで清潔な皮剥きを実現するとともに、剥いた皮５７が切断刃４２の上に排出されるようにしている。
【００２５】
皮剥き位置において、食品５５は矢印６０Ａの方向に動かされ、あるいは台所用品２０が食品５５の上を矢印６０Ｂの方へ動かされ、食品５５が台所用品２０の底側の滑り面２５上を平滑にスライドする。
【００２６】
さらに、皮剥き位置では、台所用品を食品に宛がいスライドさせた場合（図２Ａ）にのみスペーサプレート４４が定位置へと回動し、ここでは切断刃４２とスペーサプレート４４の間の隙間は小さい。しかしながら、台所用品を食品から離すと（すなわち皮むきストロークの最後）、スペーサプレート４４は自発的に元の位置に変位し、切断刃４２との間の隙間が大きくなって、剥いた皮が容易に外れて放出され、台所用品が次の皮むきストロークに使用可能となる。スペーサプレート４４は、その自重と、場合によっては付勢部材の補助により自発的に元の位置に変位する。
【００２７】
第１のスライス位置（図３Ｂ）では、切断刃４２の切刃５０はスペーサプレート４４の頂面５６の上に延在する一方、切断刃４２はスペーサプレート４４とほぼ平行となる。この位置では、変位に伴ってスペーサプレート４４の頂面５６が食品５５表面上をスライドする。
【００２８】
図３Ｂでは、食品は２つの基本位置に変位可能であり、それは符号５５で実線で示す（図５Ａ、５Ｂに示す）ものと、符号５５’で点線で示すように食品が実線で示す位置からほぼ垂直に変位するものである。
【００２９】
第１の基本位置では食品５５は線５５Ｃに沿って変位し、第２の基本位置では食品５５’は線６０Ｄに沿って変位し、双方の位置で変位は切刃５０の方を向いている。あるいは、台所用品２０は食品５５上を矢印６０Ｅの方向に変位してもよい。
【００３０】
双方の基本位置において、食品５５はハンドル部の頂面３４上に構成された滑り面６６を容易にスライドでき、この滑り面６６は複数の案内リッジ６８が設けられるが、平坦あるいは湾曲した平滑面でも同じ目的に役立つ。
【００３１】
第２のスライス位置（図３Ｃ、６Ａ、および６Ｂに概略的に示す）では、切断刃４２の切刃５０はスペーサプレート４４の底面５４の下に延在し、片や切断刃４２はスペーサプレート４４にほぼ平行に延在する。この位置では、食品を矢印６０Ｆの方向に変位させるか、台所用品２０を食品５５の上で矢印６０Ｇの方向に変位させると、スペーサプレート４４の底面５４は食品５５に対してスライドする。
【００３２】
図面では、皮むき／スライス位置の各々で、切断刃４２およびスペーサプレート４４の回動変位は、これらの間およびフレーム部２２に対する関係を維持するように制限されている。これは、フレームと、切断刃４２およびスペーサプレート４４に構成された対応するストッパと協働する制限部材により達成される。
【００３３】
この目的のため、切断刃４２には、一方または双方のアーム２６の内側面から横方向に突出するストッパ部材７４により拘束するための１または２の突出レバー７２が設けられる。この構成により、皮むき位置において前記レバー７２がストッパ部材７４に接触し、これを拘束してさらに回動変位しないようにする。
【００３４】
スペーサプレート４４は、１または２の拘束部材７６を有して構成され、これはスペーサプレート４４の面を曲げて、切断刃４２の突出レバー７２を拘束するよう構成され、これによりそれらの間の角度位置を固定する。
【００３５】
切断刃４２とスペーサプレート４４の構成は互いに回動変位可能であり、これにより皮むき位置においてスペーサプレートに対する切断刃の角度位置は実質的に予め定められていて一定であり、この角度は食品上を滑るスペーサプレートにより規定される。
【００３６】
切断刃４２とスペーサプレート４４は回動して自己整列が可能であり、スライス位置ではスペーサプレートの面が切断刃４２の面と平行となる。
【００３７】
器具を第２の基本位置（点線）とすると、食品が円盤形状にスライスされ、片や器具を図２Ｂまたは図２Ｃに示す第１の基本位置とすると、食品が長い片にスライスされる。しかしながら、スライスの形状はまた、食品が切断刃の上で変位する角度にもよる。
【００３８】
図７Ａ、７Ｂでは、台所用品２０はボウル４０とともに示されており、ここではハンドル部２４の溝２７がボウル４０の縁７９に装着されてそこに支持され、フレーム部２２がボウル内に延在している。図７Ｂに示すように、この位置で食品５５を簡単にスライスすることができ、スライス片８０がボウル４０内に直接落下する。
【００３９】
図８Ａ−８Ｃに転ずると、本発明の変形例にかかる台所用品１２０が示されている。明確のため、前述した実施例で開示されたのと同じ部材には同様の符号を付すが、１００番台に切り替えられている。
【００４０】
この台所用品１２０は外観において前述の実施例と異なっているが、主たる機能構造は同じである。滑り面２５と滑り面６６の代わりに、器具の構造を強化するとともに食品の皮むき／スライス字に支持／案内を提供するバー１２７が設けられている。さらに、フレーム部１２２は、食品の芯抜きと食べられない部分を除去するための芯抜き部材１２９を有して構成される。
【００４１】
しかしながら、主な違いは、フレーム部１２２に連接されてスペーサプレート１４４に対して軸方向に変位する手動調節可能なスクリュ部材１３５の形態をとる、符号１３３の厚さ調整機構であり、これによりスペーサバーの回動角度範囲が制限される。前の実施例で説明したように、切断刃１４２とスペーサプレート１４４は制限部材により角度変位が制限されており、これは切断刃１４２の突出レバー１７２と、スペーサプレート１４４の表面から曲げられた拘束部材１７６と、スペーサプレート１４４のストッパ部材１７４とからなる。
【００４２】
切断刃１４２とスペーサプレート１４４の構成は相互に回動変位可能であり、これにより皮むき位置においてスペーサプレートに対する切断刃の角度位置は実質的に予め定められて一定であり、この角度は食品上を滑るスペーサプレートにより規定される。
【００４３】
図９には、第１実施例と似た台所用品１８０が記載されているが、後部１３２が鋸刃状の果汁抽出部１９５となっており、これにより例えばレモンなどの果物から果汁を絞ることができる。
【００４４】
図１０では、台所用品２００は第１実施例と同様であるが、ループ状の芯抜き部材２０２とシュレッド部材２０４が追加されている。シュレッド部材はいくつかの平行に延びる刃でなり、これらはスペーサプレートにほぼ垂直に延在し、食品を千切りにすることができる。シュレッド刃２０４はフレームまたはスペーサプレートに固定されてもよいし着脱可能に取り付けられてもよい。
【００４５】
図１１に転ずると、本発明の変形例にかかる台所用品５２０が示されている。明確のために、前述した実施例と同じ部材には同じ符号を付すが、５００番台に切り替えられている。
【００４６】
台所用品５２０は、以前の実施例とは外観が異なるが、同じ主たる機能特徴を有する。本例では、滑り面５６６Ａが台所用品５２０の底側５３６に設けられている。この滑り面５６６Ａは、食品の皮むき／スライス時に支持／案内を提供する。さらに、フレーム部５２２には、食品の芯抜きと食べられない部分の除去のための芯抜き部材５２９が設けられる。
【００４７】
さらに図面には、溝５２７に構成され刃物を研ぐための刃物研ぎ面が示されている。
【００４８】
図１２Ａ、１２Ｂは、本発明の変形例にかかる台所用品３２０が示されている。明確のために、図１Ａの実施例と同じ部材には同じ符号を付すが、３００番台に切り替えられている。
【００４９】
台所用品３２０は、以前の実施例とは外観が異なるが、同じ主たる機能特徴を有する。本例では、滑り面３６６Ａが台所用品３２０の上側３３４に設けられている。さらに、前端部には矢印Ｄの方向に回動変位する２つの支持部材３５０Ａ、３５０Ｂが構成されている。これらの支持部材は、部材３５０Ａと３５０Ｂがハンドルの前端部と同一面上にある図１２Ａに示すこれらの第１構造と、支持部材３５０Ａ、３５０Ｂが面Ｓからハンドルの前端部を持ち上げるべく変位している第２構造との間で変位可能である。
【００５０】
図１３は、本発明の変形例にかかる台所用品４００が示されている。明確のために、図１Ａと同じ部材には同じ符号を付すが、４００番台に切り替えられている。
【００５１】
台所用品４００は、以前の実施例とは外観が異なるが、同じ主たる機能特徴を有する。本例では、台所用品４００は２つの部品４４０、４５０を具える。この台所用品は、当該台所用品のハンドル部４５０に固定された刃４６０が設けられ、この刃が台所用品の本体部４４０に収容可能となっている。このハンドル部４５０はナイフとして利用可能であり、刃４６０がナイフの刃を構成する。
【００５２】
添付の図面を参照していくつかの実施例を説明したが、当業者は本発明の範囲を逸脱することなく、必要な変更を加えて多様な変形例が実現可能であると理解するであろう。
【図１Ａ】
2014531926.tif 000003
【図１Ｂ】
2014531926.tif 000004
【図１Ｃ】
2014531926.tif 000005
【図１Ｄ】
2014531926.tif 000006
【図２Ａ】
2014531926.tif 000007
【図２Ｂ】
2014531926.tif 000008
【図２Ｃ】
2014531926.tif 000009
【図３Ａ】
2014531926.tif 000010
【図３Ｂ】
2014531926.tif 000011
【図３Ｃ】
2014531926.tif 000012
【図４Ａ】
2014531926.tif 000013
【図４Ｂ】
2014531926.tif 000014
【図５Ａ】
2014531926.tif 000015
【図５Ｂ】
2014531926.tif 000016
【図６Ａ】
2014531926.tif 000017
【図６Ｂ】
2014531926.tif 000018
【図７Ａ】
2014531926.tif 000019
【図７Ｂ】
2014531926.tif 000020
【図８Ａ】
2014531926.tif 000021
【図８Ｂ】
2014531926.tif 000022
【図８Ｃ】
2014531926.tif 000023
【図９】
2014531926.tif 000024
【図１０】
2014531926.tif 000025
【図１１】
2014531926.tif 000026
【図１２Ａ】
2014531926.tif 000027
【図１２Ｂ】
2014531926.tif 000028
【図１３】
2014531926.tif 000029
【国際調査報告】
2014531926.tif 000030
2014531926.tif 000031
2014531926.tif 000032
2014531926.tif 000033